(57)【特許請求の範囲】
【請求項１】
熱可塑性エラストマー樹脂成分を含み、硬度がＪＩＳ  Ｋ６２５３に定義されたデュロメータ硬さ試験による測定で、５度〜５０度の範囲内であり、容器の開口を閉栓するための弾性栓体であって、
前記弾性栓体の針刺面の任意の位置に、アクリロニトリルブタジエンスチレン樹脂、ポリカーボネート樹脂又はメタクリル樹脂からなる穿刺針の針刺しを行うための凹部が少なくとも１つ設けられており、
前記凹部の底面は、前記穿刺針の最大径以上の大きさを有し、
前記底面における縁部は曲面状であり、かつ、当該縁部の前記針刺面に対し垂直な断面における曲率半径が０．３ｍｍ〜３ｍｍの範囲であり、
前記凹部の開口縁部は前記穿刺針の最大径よりも大きく、かつ、前記凹部の中央に前記穿刺針の針刺しを行ったときに、当該凹部の開口縁部が穿刺針の全周にわたり接触しない弾性栓体。
【請求項２】
前記凹部の底面が平坦面である請求項１に記載の弾性栓体。
【請求項３】
前記凹部の底面が凹状の円錐面であり、水平面とのなす角度が０°より大きく、１０°以下の傾斜を有する請求項１に記載の弾性栓体。
【請求項４】
前記凹部の底面が凹状の曲面であり、その曲率半径が７．３ｍｍ以上である請求項１に記載の弾性栓体。
【請求項５】
請求項１〜４の何れか１項に記載の弾性栓体と、当該弾性栓体を内部で保持する支持体とを有する医療用キャップ。
【発明の詳細な説明】
【技術分野】
【０００１】
本発明は、輸液容器、採血管、バイアル瓶等の容器の閉栓に用いられる弾性栓体およびそれを備えた医療用キャップに関する。特に、医療用プラスチック針等の穿刺針を容易に針刺しすることが可能な弾性栓体およびそれを備えた医療用キャップに関する。
【背景技術】
【０００２】
医療分野に用いられる薬液ボトルや点滴用の輸液ボトル等の薬剤容器には、その開口を閉栓するための医療用キャップが設けられている。さらに、前記医療用キャップとしては、プラスチック針でその薬液を取り出せるようにするため、ゴム栓や、支持体の内側に弾性栓体（例えば、ゴムやエラストマー樹脂等）を設けたものが用いられている。また、この様な医療用キャップには、薬液や輸液の漏洩を防止したり、空気に触れることによる変質を防止するために、密閉性が求められている。
【０００３】
前記の弾性栓体を用いた医療用キャップに於いては、支持体を薬剤容器の口部に溶着等することにより取り付けられる。そして、使用時には弾性栓体に、取り出し用チューブを備えたプラスチック針を突き刺し、薬剤容器を上側にし、医療用キャップを下側に配置することにより、当該取り出し用チューブを介して容器内の輸液を取り出す。
【０００４】
ここで、従来の医療用キャップにおいては、前記プラスチック針の穿刺部の外径がステンレス針等と比べて大きいために、当該プラスチック針による針刺しの場合には、穿刺抵抗が大きく針刺しがしづらいという問題があった。このような問題に対し、下記特許文献１〜３では、口栓体（前記弾性栓体に対応）に穿刺針の穿刺用の凹部を設け、さらに凹部に穿刺針の挿入ガイド用の案内筒体を設けている。また、前記案内筒体の底部は、凹部の底面に沿って円錐状に形成されている。これらの特許文献によれば、前記のような構成を採用することにより、穿刺針としてプラスチック針を用いた場合にも針刺しを可能にすると共に、口栓体の変形や脱落の防止が図れるとの開示がなされている。
【０００５】
しかし、特許文献１〜３に開示の輸液容器用口栓体の様に、凹部の底面を円錐状に形成すると、プラスチック針を口栓体に針刺しする際の穿刺抵抗が十分に低減できないという問題がある。即ち、図９（ａ）および９（ｂ）に示すように、従来の口栓体１０２に於ける凹部１０３の大きさは穿刺針の最大径とほぼ同じ大きさであり、プラスチック針１０１の針刺しの際には、当該プラスチック針の押圧により口栓体１０２全体が撓み変形して凹部１０３が歪む。そのため、図９（ｃ）に示すように、プラスチック針１０１の穿刺部１０４が口栓体１０２に埋入を始める、針刺しの初期の段階で、凹部１０３が歪んで当該穿刺部１０４に纏わり付く様に接触する。さらに、プラスチック針１０１の押圧が進み、基部１０５も口栓体１０２に埋入し始めると、口栓体１０２自体も歪み、その結果、当該基部１０５にも口栓体１０２が纏わり付く様に接触して摩擦抵抗が生じる。最後に、穿刺部１０４が口栓体１０２を貫通すると、針刺しが完了する（図９（ｄ）参照）。この様に、従来の口栓体１０１であると、針刺しの際に、プラスチック針１０１に口栓体１０１が纏わり付く様に接触する結果、プラスチック針１０１に対し摩擦抵抗が生じ、この摩擦抵抗が穿刺抵抗となって、針刺しを容易に行えないという問題がある。
【先行技術文献】
【特許文献】
【０００６】
【特許文献１】特開２００３−２２０１１７号公報
【特許文献２】特開２００３−３３９８２１号公報
【特許文献３】特開２００４−４９５９８号公報
【発明の概要】
【発明が解決しようとする課題】
【０００７】
本発明は前記問題点に鑑みなされたものであり、その目的は、熱可塑性エラストマー樹脂成分を含む弾性栓体であっても、プラスチック針等の穿刺針による針刺しの際の穿刺抵抗を低減し、これにより針刺しを容易に行うことが可能な弾性栓体およびそれを備えた医療用キャップを提供することにある。
【課題を解決するための手段】
【０００８】
本願発明者等は、前記従来の問題点を解決すべく、弾性栓体およびそれを備えた医療用キャップについて検討した。その結果、下記構成を採用することにより、前記目的を達成できることを見出して、本発明を完成させるに至った。
【０００９】
即ち、本発明に係る医療用キャップは、前記の課題を解決するために、容器の開口を閉栓するための弾性栓体であって、前記弾性栓体の針刺面の任意の位置に、穿刺針の針刺しを行うための凹部が少なくとも１つ設けられており、前記凹部の底面は、前記穿刺針の最大径以上の大きさを有し、前記凹部の開口縁部は前記穿刺針の最大径よりも大きく、かつ、前記凹部に前記穿刺針の針刺しを行ったときに、当該凹部の開口縁部が穿刺針の全周にわたり接触しないことを特徴とする。
【００１０】
前記の構成によれば、弾性栓体の針刺面には、穿刺針による針刺しを行うための凹部が設けられている。さらに、凹部の底面は穿刺針の最大径以上の大きさを有している。そのため、針刺しの際に、穿刺針の押圧により凹部の底面が歪んでも、当該穿刺針に過度に接触して摩擦抵抗が生じるのを抑制する。その結果、穿刺抵抗の低減が図れ、従来の弾性栓体と比べて針刺しを容易に行うことができる。さらに、本発明は、前記凹部の開口縁部が穿刺針の最大径よりも大きく、かつ、針刺しを行ったときに、前記開口縁部が穿刺針の全周にわたって接触しない構造となっている。そのため、穿刺抵抗をさらに低減し、針刺しの容易性を一層向上させている。
【００１１】
前記の構成に於いては、前記凹部の底面が平坦面であることが好ましい。
【００１２】
また、前記の構成に於いては、前記凹部の底面が凹状の円錐面であり、水平面とのなす角度が０°より大きく、１０°以下の傾斜を有することが好ましい。凹部の底面が凹状の円錐面の場合、穿刺針を弾性栓体に針刺しする際の穿刺抵抗が増大する。しかし、本発明に於いては凹部の開口縁部が穿刺針よりも大きいことに加えて、穿刺針による針刺しの際には、開口縁部が穿刺針の全周にわたって接触しない構造となっている。さらに、前記構成の通り、水平面とのなす角度も１０°以下に設定されているので、針刺しの際に、穿刺針の押圧により凹部の底面が歪んでも、当該穿刺針に過度に接触して摩擦抵抗が生じるのを抑制することができる。
【００１３】
また、前記の構成に於いては、前記凹部の底面が凹状の曲面であり、その曲率半径が７．３ｍｍ以上であることが好ましい。当該構成によれば、凹部の底面を、曲率半径が７．３ｍｍ以上の凹状の曲面にすることにより、針刺しの際に、穿刺針の押圧により凹部の底面が歪んでも、当該穿刺針に過度に接触して摩擦抵抗が生じるのを抑制することができる。
【００１４】
また、前記の構成に於いては、熱可塑性エラストマー樹脂成分を含むことが好ましい。熱可塑性エラストマー樹脂成分を含む弾性栓体は、ゴムからなる弾性栓体と同じ硬度であっても、プラスチック針等による針刺しを行ったときの穿刺抵抗が大きい。これは、熱可塑性エラストマー樹脂の方が、ゴムよりも、プラスチック針等で穿刺するときの撓み変形量が大きいことに起因する。しかしながら、本発明の構成であると、凹部の底面が穿刺針の最大径以上の大きさで、平坦状に形成されており、さらに、針刺し時にも凹部の開口縁部や壁面が穿刺針に接触しない構造となっているので、前記のような熱可塑性エラストマー樹脂成分を含む弾性栓体であっても、穿刺針による針刺しを容易に行うことができる。
【００１５】
本発明に係る医療用キャップは、前記の課題を解決するために、前記構成の弾性栓体と、当該弾性栓体を内部で保持する支持体とを有することを特徴とする。
【発明の効果】
【００１６】
本発明の弾性栓体は、その針刺面の任意の位置に、穿刺針の針刺しを行うための凹部が少なくとも１つ設けられており、凹部の底面は穿刺針の最大径以上の大きさを有している。そのため、針刺しの際に、穿刺針の押圧により凹部の底面が歪んでも、当該穿刺針に過度に接触して摩擦抵抗が生じるのを抑制している。また、凹部の開口縁部も穿刺針の最大径より大きく、かつ、針刺しの際に、穿刺針に接触しない構造となっている。その結果、従来の弾性栓体と比べて、穿刺針の針刺しの際の穿刺抵抗を低減することができる。
【００１７】
即ち、本発明によれば、例えば、熱可塑性エラストマー樹脂成分を含む弾性栓体であっても、プラスチック針等の穿刺針の針刺しの際の穿刺抵抗を低減し、針刺しを容易に行うことが可能な弾性栓体およびそれを備えた医療用キャップを提供することができる。
【図面の簡単な説明】
【００１８】
【図１】本発明の実施の一形態に係る医療用キャップを説明するための断面模式図である。
【図２】前記医療用キャップにおける弾性栓体を模式的に示す断面模式図である。
【図３】前記弾性栓体における凹部を示す拡大断面図である。
【図４】前記弾性栓体を針刺面側からみた平面図である。
【図５】前記弾性栓体を接液面側からみた平面図である。
【図６】前記弾性栓体における凹部に穿刺針を針刺しする際の様子を表す断面模式図である。
【図７】本発明の他の弾性栓体を表す断面模式図であって、同図（ａ）は凹部がテーパー状に形成されている場合を表し、同図（ｂ）は凹部の底面における縁部に環状溝が設けられている場合を表す。
【図８】本発明の他の弾性栓体を表す断面模式図であって、同図（ａ）は凹部が凹状の円錐面である場合を表し、同図（ｂ）は凹部が凹状の曲面である場合を表す。
【図９】従来の弾性栓体（口栓体）における凹部に穿刺針を針刺しする際の様子を表す断面模式図である。
【発明を実施するための形態】
【００１９】
本発明の実施の形態について、図１〜図８を参照しながら以下に説明する。但し、説明に不要な部分は省略し、また説明を容易にするために拡大又は縮小等して図示した部分がある。
【００２０】
図１に示すように、本実施の形態に係る医療用キャップ１０は、弾性栓体１１と、弾性栓体１１の側周部２２を針刺面１４側から内壁で保持する上側枠部１２ａおよび接液面１５側から内壁で保持する下側枠部１２ｂを備えた支持体１２とを有する構造である。前記「針刺面」とは、本実施の形態に係る医療用キャップ１０が薬液ボトルや点滴に用いられる輸液ボトル等に装着され、薬液等を取り出す際に、穿刺針により針刺しが行われる面を意味する。また、「接液面」とは、薬液等が接する面を意味する。
【００２１】
前記支持体１２を構成する材料としては、合成樹脂のうち、医療用途としての安全性が確立されたものであれば足りる。中でも熱可塑性樹脂を用いるのが一般的である。具体的には、ポリエチレン、ポリプロピレン、ＰＥＴ（ポリエチレンテレフタレート）樹脂等の従来医療用途に用いられている樹脂が好ましいが、これらに限定されるものではない。また、プルトップ型の場合、上側枠部１２ａを構成する材料としては、例えば、熱可塑性エラストマーが好ましい。より具体的には、オレフィン系、スチレン系、ポリウレタン系、ポリエステル系、ポリ塩化ビニル系、ポリブタジエン系等が挙げられるが、本発明はこれらに限定されるものではない。更に、支持体１２には着色剤等の任意の成分を添加してもよい。
【００２２】
前記支持体１２における上側枠部１２ａはプルトップ型の態様でもよい。また、本実施の形態に於いては、下側枠部１２ｂはフランジを設けた態様であるが、本発明はこの態様に限定されるものではなく、当該フランジを適宜必要に応じて省略してもよい。さらに、上側枠部１２ａと下側枠部１２ｂとが一体的に成形された支持体であってもよい、
【００２３】
弾性栓体１１の全体形状は円柱状からなる。弾性栓体１１の直径ｄ１は特に限定されず、支持体１２の内部に収容できる程度であればよい。通常は１２ｍｍ〜４０ｍｍの範囲内で設定することができる。さらに、針刺面１４の直径ｄ２および接液面１５の直径ｄ３も適宜設定することができる。ｄ２およびｄ３は、通常は５ｍｍ〜３０ｍｍの範囲内で設定することができる。また、弾性栓体１１の厚みｔは特に限定されないが、通常は３ｍｍ〜１０ｍｍの範囲内で設定することができる。厚みｔを３ｍｍ以上にすることにより、弾性栓体１１全体の剛性が低下するのを防止することができる。その一方、厚みｔを１０ｍｍ以下にすることにより、穿刺針２１による針刺しが困難になるのを防止することができる。但し、本発明はこの形状に限定されるものではなく、適宜必要に応じて任意の形状に変更可能である。
【００２４】
弾性栓体１１の針刺面１４側には、弾性栓体１１が支持体１２から脱落するのを防止するための段差部１７が設けられている（図２および図４参照）。さらに、弾性栓体１１の接液面１５側には、支持体との嵌合を可能にし、穿刺針２１による針刺しの際の脱落を防止するための環状溝１６が設けられている（図２および図５参照）。但し、弾性栓体１１は、図２に示すような形態に限定されるものではなく、例えば、針刺面１４および接液面１５の両方ともフラットな面を有する形状であってもよい（但し、針刺面１４において凹部が設けられている点を除く）。
【００２５】
尚、前記穿刺針２１としては特に限定されず、例えば、先端の穿刺部２１ａがテーパー状であり、それに続く基部２１ｂが円筒状構造の瓶針等が挙げられる。また、穿刺針２１の構成材料も特に限定されず、例えば、ＡＢＳ（アクリロニトリルブタジエンスチレン）樹脂、ＰＣ（ポリカーボネート）樹脂、ＰＭＭＡ（メタクリル）樹脂などの合成樹脂等を用いることができる。
【００２６】
前記穿刺部２１ａの先端角度θは鋭角であって、特に限定されないが、通常は、２０°〜６０°の範囲内のものを用いることができる。また、穿刺針２１の最大径としての基部２１ｂの最大直径は特に限定されず、通常はφ３．５ｍｍ〜φ５．５ｍｍのものが用いられる。
【００２７】
また、弾性栓体１１の針刺面１４側には、穿刺針２１の針刺しを行うための凹部１３が針刺面１４の中央に１つ設けられている（図２〜４参照）。さらに、前記針刺面１４側には、複数の薬剤を混合調整する混注の際に、金属針による針刺しを行うための針刺部２３が、凹部１３とは別に設けられている（図２および図４参照）。当該針刺部２３は金属針による針刺しを行うものであり、プラスチック針等と比較して外径が小さく、針刺しが比較的容易であるため、断面形状が円錐状のものを用いることができる。各針刺部２３は、弾性栓体１１の中心に設けられている凹部１３よりも外側の同心円状に位置している。また、各針刺部２３は相互に等間隔になるように設けられている。尚、本発明に於いては、凹部１３を混注の際の金属針による針刺し用に用いることも可能である。この場合、前記針刺部２３を設けることなく、凹部１３を任意の位置に複数設ければよい。
【００２８】
前記凹部１３の底面１８は平坦状であり、かつ、その大きさは穿刺針２１の最大径と同一又はそれよりも大きい。また、凹部１３の開口縁部２０も穿刺針２１の最大径より大きく、かつ、凹部１３に針刺しを行った際に、当該開口縁部２０が穿刺針２１に接触しない程度の大きさを有している。より具体的には、図３に示すように、開口縁部２０の直径ｒが穿刺針２１の最大径よりも大きい構成となっている。このような構成を採用することにより、穿刺針２１による針刺しを従来の弾性栓体と比較して、容易に行うことが可能になる。尚、穿刺針２１による弾性栓体１１への針刺しは、後述の通り、穿刺部２１ａが弾性栓体１１を貫通し、基部２１ｂが弾性栓体１１内に埋入した状態で完了する。従って、本実施の形態に於いて、穿刺針２１の最大径とは、基部２１ｂの最大直径を意味する。
【００２９】
また、針刺面１４に凹部１３を設けることにより、当該部分では厚みが薄くなるので、穿刺針２１の針刺しを容易に行うことができる。ここで、穿刺針２１の針刺しの容易性を向上させるという観点からは、弾性栓体１１全体を薄くするという態様も考えられる。しかし、この態様の場合には、弾性栓体１１全体の剛性が低下する。そのため、穿刺針２１による針刺しの際には、当該穿刺針２１の押圧により弾性栓体１１が大きく撓むという問題がある。しかし、本実施の形態においては、針刺しを行う部分にのみ前記凹部１３を設けるので、弾性栓体１１の剛性を低下させることなく、針刺しを容易にすることができる。
【００３０】
前記凹部１３が穿刺抵抗を低減させるメカニズムは、次の通りである。即ち、図６（ａ）および６（ｂ）に示すように、穿刺針２１を凹部１３の平坦状の底面１８に位置させて、穿刺針２１により弾性栓体１１を押圧すると、弾性栓体１１が変形して撓む。その後、図６（ｃ）に示すように、当該穿刺針２１の穿刺部２１ａが弾性栓体１１に埋入を始める。さらに、穿刺針２１の押圧を進めると、穿刺針２１の基部２１ｂも弾性栓体１１に埋入を始める。これにより、弾性栓体１１は歪むが、凹部１３の開口縁部２０は、針刺しの際に、穿刺針２１に接触しない程度の大きさであるため、開口縁部２０と基部２１ｂの間で摩擦抵抗が生じるのを防止することができる。最後に、穿刺部２１ａが弾性栓体１１を貫通して、接液面１５側に表出し、基部２１ｂが弾性栓体１１内に埋入した状態になると、針刺しが完了する（図６（ｄ）参照）。このように、凹部１３として、その底面１８が平坦状であり、針刺しの際に、開口縁部２０が穿刺針２１に接触しない程度の大きさを有する構成を採用することにより、従来の弾性栓体と比較して、穿刺抵抗の低減が図れ、針刺しの容易性を向上させることができる。
【００３１】
凹部１３の底面１８における縁部１９は曲面状となっていることが好ましい。この場合、針刺面１４に対し垂直な断面における曲率半径は０．３ｍｍ〜３ｍｍの範囲内が好ましく、０．４ｍｍ〜２ｍｍの範囲内がより好ましく、０．５ｍｍ〜１ｍｍの範囲内が特に好ましい。前記曲率半径を０．３ｍｍ以上にすることにより、穿刺針２１による針刺しの際に、凹部１３が穿刺針２１の押圧により歪んでも、凹部１３の壁面２５が穿刺針２１に向かって倒れ込まないように、その歪みを緩和することができる。その結果、凹部１３の壁面２５が穿刺針２１に接触して摩擦抵抗が生じるのを防止し、穿刺針による針刺しを一層容易にすることができる。その一方、前記曲率半径を３ｍｍ以下にすることにより、凹部１３の壁面２５が緩やかではあるが垂直に近い傾斜面となって、当該凹部１３と針刺面１４との境界、即ち、開口縁部２０が不明瞭になるのを避けることができる。尚、本実施の形態に於いては、縁部１９が曲面状の場合を例にして説明したが、本発明はこれに限定されるものではなく、底面１８と壁面２５とが、少なくとも鋭角を形成しなければよい。縁部が曲面状でない場合の態様については、後段にて詳述する。
【００３２】
凹部１３の深さｈ１は、０．５ｍｍ〜３ｍｍの範囲が好ましく、０．８ｍｍ〜２．５ｍｍの範囲内がより好ましく、１ｍｍ〜２ｍｍの範囲内が特に好ましい。前記深さｈ１を０．５ｍｍ以上にすることにより、穿刺針２１を貫通させるための実質的な厚みを低減し、針刺しの容易性の向上が図れる。その一方、前記深さｈ１を３ｍｍ以下にすることにより、弾性栓体１１の針刺しの部分における厚みが薄くなって、穿刺針２１の針刺し後の保持性が低下するのを防止することができる。
【００３３】
前記弾性栓体１１は、穿刺針による針刺しが可能な材料からなるものであれば特に限定されない。そのような材料としては、例えば、ゴムや熱可塑性エラストマー樹脂が挙げられる。前記ゴムとしては特に限定されず、例えば、天然ゴム、イソプレンゴム、ブタジエンゴム、スチレン−ブタジエンゴム、イソプレン−イソブチレンゴム等が例示できる。また、熱可塑性エラストマーとしては特に限定されず、例えば、オレフィン系、スチレン系、ポリウレタン系、ポリエステル系、ポリ塩化ビニル系、ポリブタジエン系等が例示できる。中でも共役ジエン系の熱可塑性エラストマーに水素添加した熱可塑性エラストマー（ＳＥＢＳ、ＳＥＰＳ、ＨＳＢＲ、ＳＥＢＲ、ＣＥＢＣ）が好適である。
【００３４】
弾性栓体１１の特性については特に限定されず、穿刺針２１が貫通できる程度の硬度を有していればよい。また、通常の保管の際に容易に変形したり、破損したりしない程度の形状保持性を有するものが好ましい。弾性栓体１１のＡ硬度は、ＪＩＳ  Ｋ６２５３に定義されたデュロメータ硬さ試験による測定に於いて、５度〜５０度の範囲内が好ましく、１０度〜４０度の範囲内がより好ましく、３０度〜４０度の範囲内が特に好ましい。前記Ａ硬度を５度以上にすることにより、穿刺針２１を弾性栓体１１に貫通させた状態で保持することができる。その一方、Ａ硬度を５０度以下にすることにより、穿刺針２１の針刺部分から輸液等が液漏れするのを防止することができる。
【００３５】
ここで、弾性栓体１１が熱可塑性エラストマー樹脂成分を含む場合、その硬度がゴムからなる弾性栓体と同じであっても、熱可塑性エラストマー樹脂成分を含む弾性栓体の方が、プラスチック針等の針刺しを行ったときの穿刺抵抗が大きく、そのため針刺しがし難い。これは、熱可塑性エラストマー樹脂成分を含む場合、弾性栓体１１の弾性率が高くなって、プラスチック針等の穿刺針で押圧穿刺する凹部が歪み、穿刺針に纏わり付くことに起因する。しかしながら、本実施の形態のように、凹部１３は、その底面１８が平坦状であり、かつ、針刺し時に開口縁部２０や壁面２５が穿刺針２１に接触しない構造になっているので、熱可塑性エラストマー樹脂成分を含む弾性栓体であっても、穿刺針２１による針刺しを容易にすることができる。
【００３６】
尚、前記熱可塑性エラストマー樹脂は、ゴムに比べて極めて衛生的な素材であるが、使用する薬液によっては、弾性栓体１１の接液面１５に、ラミネート加工を行ってもよい。ラミネート加工には、支持体１２又は取り付けるべき容器と同一種類の樹脂が一般に用いられる。これにより、薬液が接触する容器内や弾性栓体１１の接液面１５と同一又は類似した性質の材料とすることができる。
【００３７】
また、弾性栓体１１の製造方法としては特に限定されず、例えば、熱可塑性エラストマー樹脂等を含む材料を圧潰しながら行うコンプレッション成形や射出成形により製造可能である。
【００３８】
本実施の形態に係る医療用キャップは、例えば、薬液を針で取り出すタイプの容器に取り付けて用いることができる。具体的には、薬液を収容する本体部と薬液を針で取り出す取出部とを有した医療用ボトルや医療用バッグ等において、前記医療用キャップをその取出部として用いることが可能である。これにより、液洩れの防止や、針抜けに対する保持力を維持しながら、穿刺針の針刺しの際における穿刺抵抗を低減して、従来の医療用キャップよりも針刺しの容易性を向上させることができる。
【００３９】
尚、本発明に係る弾性栓体および医療用キャップは、前記に示した態様に限定されるものではなく、当該発明の効果を奏する範囲で種々の変更が可能である。例えば、図７（ａ）および７（ｂ）に示すような態様を採用することも可能である。
【００４０】
即ち、図７（ａ）に示すように、弾性栓体の凹部３１が、テーパー状の断面形状を有するものであってもよい。この態様の場合、底面１８は、穿刺針２１の最大径と同じ大きさにしてもよい。このような構造であっても、穿刺針２１の針刺しの際に、当該穿刺針２１に開口縁部２０および壁面３２が接触するのを防止し、穿刺抵抗の低減が図れる。また、凹部の壁面が底面に対して直角となる場合と比べて、金型による成形の容易性の向上も図れる。前記凹部３１の底面１８と壁面３２のなす角αは、１００°〜１７０°の範囲内であることが好ましく、より好ましくは１１５°〜１５５°であり、特に好ましくは１３０°〜１４０°である。
【００４１】
また、図７（ｂ）に示すように、凹部３３における底面１８の縁部に環状溝３４を設けた態様であってもよい。このような構造であっても、穿刺針２１の針刺しの際に、当該穿刺針２１に開口縁部２０および壁面３２が接触するのを防止し、穿刺抵抗の低減が図れる。環状溝３４の深さｈ２は特に限定されないが、０．５ｍｍ〜２．５ｍｍの範囲内が好ましく、より好ましくは１ｍｍ〜２ｍｍであり、特に好ましくは１．２ｍｍ〜１．８ｍｍである。また、環状溝３４の溝幅ｗは特に限定されないが、０．２ｍｍ〜２ｍｍの範囲内が好ましく、より好ましくは０．５ｍｍ〜１．８ｍｍであり、特に好ましくは０．８ｍｍ〜１．５ｍｍである。
【００４２】
さらに、本発明に係る弾性栓体は、図８（ａ）に示すように、底面３６が凹状の円錐面である凹部３５を備えた態様であってもよい。このとき、底面３６が水平面となす角度βは、０°より大きく１０°以下であることが好ましく、０°より大きく５°以下であることがより好ましい。凹部３５の底面３６が凹状の円錐面の場合、穿刺針２１を弾性栓体に針刺しする際の穿刺抵抗が増大するが、本発明に於いては凹部３５の開口縁部２０が穿刺針２１の最大径よりも大きいことに加えて、穿刺針２１による針刺しの際には、開口縁部２０が穿刺針２１の全周にわたって接触しない構造となっている。さらに、水平面とのなす角度も１０°以下に設定されているので、針刺しの際に、穿刺針２１の押圧により凹部３５の底面３６が歪んでも、当該穿刺針２１に過度に接触して摩擦抵抗が生じるのを抑制することができる。また、底面３６は、その中心方向に向かって、凹状の円錐面となっていることが好ましい。これにより、底面３６の中心部に穿刺針２１の針刺し位置をガイドさせることが可能になる。さらに、凹部３５の底面３６における縁部３７は曲面状となっていてもよい。この場合、針刺面１４に対し垂直な断面における曲率半径の数値範囲は、前述の場合と同様である。
【００４３】
また、本発明に係る弾性栓体は、図８（ｂ）に示すように、底面３９が凹状の曲面である凹部３８を備えた態様であってもよい。このとき、底面３９の曲率半径Ｒは１４．５ｍｍ以上あることが好ましい。曲率半径Ｒの上限については、底面３９が平坦状でなければ特に限定されない。凹部３８の底面を、曲率半径Ｒが１４．５ｍｍ以上の凹状の曲面にすることにより、針刺しの際に、穿刺針２１の押圧により凹部３８の底面３９が歪んでも、当該穿刺針２１に過度に接触して摩擦抵抗が生じるのを抑制することができる。さらに、凹部３８の底面３９における縁部４０は曲面状となっていてもよい。この場合、針刺面１４に対し垂直な断面における曲率半径の数値範囲は、前述の場合と同様である。
【実施例】
【００４４】
以下に、この発明の好適な実施例を例示的に説明する。但し、この実施例に記載されている材料や配合量等は、特に限定的な記載がない限りは、この発明の範囲をそれらのみに限定するものではない。
【００４５】
（実施例１）
本実施例に於いては、前述の図１に示す構造の医療用キャップを用いた。支持体における上側枠部および下側枠部の材料としてはそれぞれポリプロピレンを用いた。また、弾性栓体の材料としてはスチレン系熱可塑性エラストマー（栓体用グレード）を用いた。さらに、支持体を成形するための成形機としては、日精樹脂工業（株）製の二色射出成形機（商品名；ＤＣ１００−２００）を使用した。
【００４６】
本実施例で用いた弾性栓体の形状寸法は下記の通りである。
弾性栓体の直径ｄ１：２３ｍｍ
針刺面の直径ｄ２：１６．５ｍｍ
接液面の直径ｄ３：２０ｍｍ
弾性栓体の厚みｔ：６ｍｍ
凹部の直径ｒ：５ｍｍ
凹部の深さｈ１：１ｍｍ
凹部の底面における縁部の曲率半径：１ｍｍ
硬度（ＪＩＳ  Ａ）：３５度
【００４７】
（実施例２）
本実施例に於いては、凹部に於ける底面の縁部が直角となった弾性栓体を用いたこと以外は、前記実施例１と同様にして、本実施例に係る医療用キャップを作製した。
【００４８】
本実施例で用いた弾性栓体の形状寸法は下記の通りである。
弾性栓体の直径ｄ１：２３ｍｍ
針刺面の直径ｄ２：１６．５ｍｍ
接液面の直径ｄ３：２０ｍｍ
弾性栓体の厚みｔ：６ｍｍ
凹部の直径ｒ：５ｍｍ
凹部の深さｈ１：１ｍｍ
硬度（ＪＩＳ  Ａ）：３５度
【００４９】
（比較例１）
本比較例に於いては、断面形状が円錐状の凹部を有する弾性栓体を用いたこと以外は、前記実施例１と同様にして、本比較例に係る医療用キャップを作製した。
【００５０】
本比較例で用いた弾性栓体の形状寸法は下記の通りである。
弾性栓体の直径：２３ｍｍ
針刺面の直径：１６．５ｍｍ
接液面の直径：２０ｍｍ
弾性栓体の厚み：６ｍｍ
凹部の直径：４．６ｍｍ
凹部の深さ：１ｍｍ
硬度（ＪＩＳ  Ａ）：３５度
【００５１】
（硬度（ＪＩＳ−Ａ）の測定）
前記実施例および比較例で用いた各弾性栓体のＡ硬度の前記測定値については、ＪＩＳ−Ｋ６２５３に定義されたデュロメータ硬さ試験により測定したものである。
【００５２】
（穿刺抵抗試験）
前記実施例および比較例で得られた医療用キャップに対し、オートクレーブにより１１０℃で３０分間の滅菌処理を行った。その様な医療用キャップを２０サンプル用意し、テルモ株式会社製テルフュージョン輸液セット（品番）ＴＫ−Ｕ２００Ｌを穿刺針（瓶針）として用いて、それぞれの弾性栓体に針刺しを行い、そのときの穿刺抵抗を調べた。
【００５３】
具体的には、各医療用キャップを引張圧縮試験機（（株）今田製作所製、商品名；ＳＶ５５）にセットし、それぞれの医療用キャップにおける弾性栓体の針刺面側に、前記試験機に取り付けた下記の穿刺針を垂直に突き刺した。穿刺針を突き刺す際の移動速度を２００ｍｍ／ｍｉｎとし、穿刺針の基部が貫通するまでの間における貫通力（単位；Ｎ）を測定した。尚、穿刺針としては、穿刺部の長さが１４ｍｍ、基部の長さが１５ｍｍのものを用いた。また、穿刺針の最大径（基部の最大直径）は４．６ｍｍであった。結果を下記表１に示す。
【００５４】
【表１】
0005896448.tif 000002
【００５５】
（穿刺針の保持力試験）
前記実施例および比較例で得られた医療用キャップに対し、オートクレーブにより１１０℃で３０分間の滅菌処理を行った。その様な医療用キャップを２０サンプル用意し、穿刺抵抗試験で用いたのと同様の穿刺針をそれぞれ弾性栓体に刺したときの保持力について調べた。
【００５６】
各医療用キャップを引張圧縮試験機（（株）今田製作所製、商品名；ＳＶ５５）にセットし、前記試験機に取り付けた前記穿刺針を、医療用キャップの弾性栓体に垂直に突き刺した。その後、穿刺針を２００ｍｍ／ｍｉｎの速度で上昇させ、該穿刺針が弾性栓体から抜けるときの力（単位；Ｎ）を測定した。測定は、それぞれ最大値、最小値、平均値および標準偏差を求めた。結果を下記表２に示す。
【００５７】
【表２】
0005896448.tif 000003
【００５８】
（穿刺針の液漏れ試験）
前記実施例および比較例で得られた医療用キャップに対し、オートクレーブにより１１０℃で３０分間の滅菌処理を行った。次に、各医療用キャップを試験用圧力缶体に取り付け、医療用キャップにおける弾性栓体の凹部にテルモ（株）製連結管（商品名；ＴＣ−００５０３Ｂ）の針刺しを行い、その状態で４時間放置した。その後、抜針し、弾性栓体の凹部からの液漏れの有無を調べた。結果を下記表３に示す。尚、検体数は３００個とした。
【００５９】
【表３】
0005896448.tif 000004
【００６０】
（結果）
前記表１〜３から明らかな通り、本実施例１および２に係る医療用キャップでは、穿刺針の保持力を維持すると共に、液漏れの発生を抑制しながら、穿刺針の針刺しを行う際の穿刺抵抗の低減を図ることができた。これに対し、比較例１に係る医療用キャップでは、穿刺針の保持力および液漏れについては良好であったが、穿刺抵抗が高かったことから、実施例１および２の医療用キャップと比較して、針刺しが容易ではなかった。
【符号の説明】
【００６１】
１０  医療用キャップ
１１  弾性栓体
１２  支持体
１２ａ  上側枠部
１２ｂ  下側枠部
１３、３１、３３、３５、３８  凹部
１４  針刺面
１５  接液面
１６  環状溝
１７  段差部
１８、３６、３９  底面
１９、３７、４０  縁部
２０  開口縁部
２１  穿刺針
２１ａ  穿刺部
２１ｂ  基部
２２  側周部
２５、３２  壁面
２３  針刺部
３４  環状溝
【図１】
0005896448.tif 000005
【図２】
0005896448.tif 000006
【図３】
0005896448.tif 000007
【図４】
0005896448.tif 000008
【図５】
0005896448.tif 000009
【図６】
0005896448.tif 000010
【図７】
0005896448.tif 000011
【図８】
0005896448.tif 000012
【図９】
0005896448.tif 000013